(57)【要約】【課題】複数フォーマットの映像信号から同期信号の同期分離を安定的に行う。【解決手段】入力映像信号１０１は第１のクランプ回路１０２に入力されて、クランプをかけた映像信号１０３として第２のクランプ回路１０４、スイッチ回路１０６に入力される。第２のクランプ回路１０４は、後段のクランプタイミング発生器１１２で作られた同期信号期間の内側にてクランプをかけるためのクランプパルス１１３を用いて、映像信号１０３にクランプをかけた映像信号１０５を出力する。映像信号１０５は一定のＤＣ電圧に引き込むようにクランプされて映像信号１０３に重畳するサグのうねりを吸収している。この映像信号１０５により同期分離回路１０７から同期分離した出力のジッターのない同期出力信号を得る。【選択図】図１
2006211013.tif 000002
【特許請求の範囲】
【請求項１】
入力の映像信号にクランプをかける第１のクランプ回路と、前記第１のクランプ回路の出力を入力とする第２のクランプ回路と、前記第１のクランプ回路の出力と前記第２のクランプ回路の出力をそれぞれ入力とするスイッチ回路と、前記スイッチ回路により選択された出力を入力として前記映像信号から同期信号のタイミングを分離する同期分離回路と、前記同期分離回路により抽出された同期タイミングを入力として前記映像信号のフォーマット判定を行うフォーマット検出回路と、前記同期分離回路により抽出された同期タイミングから前記第２のクランプ回路でクランプをかける期間を生成するクランプタイミング発生器と、前記同期分離回路により抽出された同期タイミングを基準入力信号として位相同期ループをかけるＡＦＣ（Automatic Frequency Control）回路とを備えたことを特徴とする同期分離装置。
【請求項２】
前記第２のクランプ回路は、同期信号期間の内側において動作して、かつ先端部分を一定のＤＣ電圧に引き込むクランプ動作を行うことにより、入力の映像信号に重畳される垂直レートのサグの吸収、及び前記映像信号の平均ＤＣ電圧が急変した場合の電圧変動を吸収して、同期分離回路において前記同期信号をスライスするための位置を一定レベルとして同期分離をすることを特徴とする請求項１記載の同期分離装置。
【請求項３】
前記第２のクランプ回路は、同期分離回路により抽出した同期タイミングのエッジから遅延を持たせたタイミングパルスにより動作して、前記同期分離回路において同期タイミングが抽出できない場合は前記第２のクランプ回路は動作せずに以前の出力ＤＣレベルを保持することを特徴とする請求項１記載の同期分離装置。
【請求項４】
前記第２のクランプ回路は、クランプタイミング発生器の作成するタイミングパルスにより動作して、前記タイミングパルスの期間をフォーマット検出回路において検出した映像信号の各フォーマットによって異なる同期信号の幅に応じたフォーマット情報に基づき可変することを特徴とする請求項１記載の同期分離装置。
【請求項５】
前記第２のクランプ回路は、フォーマット検出回路が検出するフォーマット情報を用いてクランプのゲインを可変して、映像信号の各フォーマットによって異なる同期信号の周期特性に応じて、前記映像信号をクランプ電圧に引き込むことを特徴とする請求項１記載の同期分離装置。
【請求項６】
前記第２のクランプ回路は、垂直同期信号期間ではクランプのゲインを上げ、有効画面の水平同期信号期間ではクランプのゲインを下げるクランプ動作を行うことを特徴とする請求項１記載の同期分離装置。
【請求項７】
前記スイッチ回路は、フォーマット検出回路が検出するフォーマット情報を確定できない場合は第１のクランプ回路の出力を選択して、前記フォーマット情報を確定した場合は第２のクランプ回路の出力を選択して出力することを特徴とする請求項１記載の同期分離装置。
【請求項８】
前記スイッチ回路は、第１のクランプ回路の出力から第２のクランプ回路の出力に切替えるタイミングとして、フォーマット検出回路が検出した映像信号のフィールドタイミングまたはフレームタイミングの垂直同期タイミングを用いることにより、前記切替えるタイミングのノイズが画面に現れることを防止することを特徴とする請求項１記載の同期分離装置。
【請求項９】
前記スイッチ回路は、第２のクランプ回路の出力から第１のクランプ回路の出力に切替えるタイミングとして、ＡＦＣ回路における位相同期ループがロックからアンロックとなるタイミングを用いることにより、入力の映像信号が変化した場合に以前のフォーマット情報によって設定したタイミングパルスによる前記第２のクランプ回路の動作を防止することを特徴とする請求項１記載の同期分離装置。
【発明の詳細な説明】
【技術分野】
【０００１】
本発明は、テレビ等の映像信号の受信機能を有する表示装置において、表示装置に映像を映すために必要な同期信号を、映像信号から安定的に分離する同期分離装置に関するものである。
【背景技術】
【０００２】
従来の映像信号から同期信号を分離する方法としては、特許文献１に示されているような同期分離回路が提案されている。以下、図８を参照しながら、特許文献１に開示されている同期分離回路について説明する。
【０００３】
図８に示すように、複合映像信号１は第１クランプ回路２と追設された第２クランプ回路３に入力された同期分離回路を構成する。第１クランプ回路２の時定数ＣＲは比較的大きく、映像レベルの高低による同期前縁のジッターは少ない。したがって、この信号からコンパレータ４で分離された同期信号５における前縁のジッターも少ない。一方、第２クランプ回路３の時定数は比較的小さく、スライス回路６には短い時間でクランプパルス７が発生して、平均映像レベルの異なる信号に切替えた場合にも、第１，第２クランプ回路２，３は短時間で切替え後の信号をクランプする。このようにして、映像レベルによる前縁の変化が少なく、応答の速い同期分離回路を実用化することができる。
【特許文献１】特開昭５７−１２４９７１号公報
【発明の開示】
【発明が解決しようとする課題】
【０００４】
このような構成の同期分離回路では、時定数の大きなクランプ回路と時定数の小さなクランプ回路を複合した構成を用いることにより、入力される映像信号の平均ＤＣ電圧が急変しても比較的に同期分離の応答を速くすることができる。しかしながら、次に示すような使用状況では、前述の同期分離回路を用いて同期分離を行うには不安定な要素が多くなる。
【０００５】
従来の信号源としてアナログ地上波放送のみのときは、ＮＴＳＣ系では４８０ｉ（走査線数４８０本のインタレース信号）、ＰＡＬ系では５７６ｉ（走査線数５７６本のインタレース信号）の信号のみであった。しかし、近年ディジタルテレビの普及により、前記以外にも１０８０ｉが使用されており、カメラの記録メディアでは７２０ｐ（走査線数７２０本のプログレッシブ信号）が登場している。また、ＤＶＤプレーヤの普及により、４８０ｉ，５７６ｉの倍となる密度の４８０ｐ，５７６ｐも映像信号として使用されるようになっている。
【０００６】
よって、近年のテレビセットにおいては、同期分離回路に入力される信号が単一ではなくなり、同期分離装置としては各種の映像フォーマット信号に対応する必要がある。
【０００７】
しかしながら、前述した図８の構成においては、同期信号の幅，水平周波数レート，走査線数のそれぞれ違った映像フォーマットを同期分離する構成にはなっていない。さらに、High Definision（以下、ＨＤという）系、Standard Definision（以下、ＳＤという）系の信号では同期信号の幅の種類が多く、７２０ｐのフォーマットにいたっては同期信号の幅は５４０ｎsecと細くなっている。
【０００８】
そこで、前記の７２０ｐのような映像信号が入力された場合は、クランプパルスが従来のクランプ期間から広がり、同期信号期間と映像信号期間に重なる不具合や、逆に同期信号の幅に対して細いクランプ期間になる不具合が発生することが考えられる。
【０００９】
また、図８に示される第１クランプ回路２，第２クランプ回路３は、クランプパルスがない状態でも信号受信ができるようするため、クランプ回路にSync Tip Clamp回路が内蔵されているはずであり、かつクランプパルスによってもクランプ動作が行えるように示されているため、クランプパルスを用いるSync Gate Clamp回路も内蔵されているはずである。よって、第１，第２クランプ回路２，３がそれぞれ前記２種類のクランプ回路を内蔵しているため特許文献１で示されている同期分離回路は、合計で４つのクランプ回路を用いた構成になっている。
【００１０】
さらには、図８に示す構成ではクランプパルスを使ってクランプを行う期間が不明なため、Sync Gate Clamp回路によって発生するクランプに伴うキズが画面にノイズとして現れる可能性も考えられる。
【００１１】
本発明は、前記従来技術の問題を解決することに指向するものであり、同期信号タイミングでクランプをかける機能、フォーマット検出回路の判定結果、ＡＦＣ（Automatic Frequency Control）回路のロック情報等からシステム的に映像信号から同期信号の同期分離を安定的に行う同期分離装置を提供することを目的とする。
【課題を解決するための手段】
【００１２】
前記の目的を達成するために、本発明に係る同期分離装置は、入力の映像信号にクランプをかける第１のクランプ回路と、第１のクランプ回路の出力を入力とする第２のクランプ回路と、第１のクランプ回路の出力と第２のクランプ回路の出力をそれぞれ入力とするスイッチ回路と、スイッチ回路により選択された出力を入力として映像信号から同期信号のタイミングを分離する同期分離回路と、同期分離回路により抽出された同期タイミングを入力として映像信号のフォーマット判定を行うフォーマット検出回路と、同期分離回路により抽出された同期タイミングから第２のクランプ回路でクランプをかける期間を生成するクランプタイミング発生器と、同期分離回路により抽出された同期タイミングを基準入力信号として位相同期ループをかけるＡＦＣ（Automatic Frequency Control）回路とを備えたことを特徴とする。
【００１３】
また、第２のクランプ回路は、同期信号期間の内側において動作して、かつ先端部分を一定のＤＣ電圧に引き込むクランプ動作を行うにより、入力の映像信号に重畳される垂直レートのサグの吸収、及び映像信号の平均ＤＣ電圧が急変した場合の電圧変動を吸収して、同期分離回路において同期信号をスライスするための位置を一定レベルとして同期分離をすること、または、同期分離回路により抽出した同期タイミングのエッジから遅延を持たせたタイミングパルスにより動作して、同期分離回路において同期タイミングが抽出できない場合は第２のクランプ回路は動作せずに以前の出力ＤＣレベルを保持すること、または、クランプタイミング発生器の作成するタイミングパルスにより動作して、タイミングパルスの期間をフォーマット検出回路において検出した映像信号の各フォーマットによって異なる同期信号の幅に応じたフォーマット情報に基づき可変すること、または、フォーマット検出回路が検出するフォーマット情報を用いてクランプのゲインを可変して、映像信号の各フォーマットによって異なる同期信号の周期特性に応じて、映像信号をクランプ電圧に引き込むこと、または、垂直同期信号期間ではクランプのゲインを上げ、有効画面の水平同期信号期間ではクランプのゲインを下げるクランプ動作を行うことを特徴とする。
【００１４】
また、スイッチ回路は、フォーマット検出回路が検出するフォーマット情報を確定できない場合は第１のクランプ回路の出力を選択して、フォーマット情報を確定した場合は第２のクランプ回路の出力を選択して出力すること、または、第１のクランプ回路の出力から第２のクランプ回路の出力に切替えるタイミングとして、フォーマット検出回路が検出した映像信号のフィールドタイミングまたはフレームタイミングの垂直同期タイミングを用いることにより、切替えるタイミングのノイズが画面に現れることを防止すること、または、第２のクランプ回路の出力から第１のクランプ回路の出力に切替えるタイミングとして、ＡＦＣ回路における位相同期ループがロックからアンロックとなるタイミングを用いることにより、入力の映像信号が変化した場合に以前のフォーマット情報によって設定したタイミングパルスによる第２のクランプ回路の動作を防止することを特徴とする。
【００１５】
前記構成によれば、映像信号から同期信号を安定的に分離することができる。
【発明の効果】
【００１６】
本発明によれば、フォーマットの異なる映像信号が入力されても第２のクランプ回路によって、毎水平期間（Ｈ）ごとに繰り返される同期信号の同期タイミングのボトムを一定のＤＣ電圧に保ち、同期分離回路で同期分離されるエッジのタイミングも一定に保持されて、分離した同期出力信号のジッターを減少することができ、また、フォーマット検出回路のフォーマット情報に基づいてクランプパルスの幅を制御して効率的なクランプ動作ができるとともに、スイッチ回路における第１のクランプ回路から第２のクランプ回路に出力を切替えるタイミングを、垂直同期タイミングにより行うことで切替え時のノイズがテレビ画面に現れることを防止して、従来はクランプ回路を４つ用いていた構成を２つで実現することができるという効果を奏する。
【発明を実施するための最良の形態】
【００１７】
以下、図面を参照して本発明における実施の形態を詳細に説明する。
【００１８】
図１は本発明の実施の形態における同期分離装置の概略構成を示す図である。図１に示すように、入力映像信号１０１は第１のクランプ回路１０２に入力される。第１のクランプ回路１０２でクランプされるレベルは、入力される信号のフォーマットによって違いはあるがクランプ電圧にある程度近づくソフトクランプである。具体的には、入力信号ピンに直列に接続されたコンデンサに対して、同期信号期間では充電を、また映像信号期間では放電をそれぞれ行うことにより映像信号を一定電圧にクランプする。
【００１９】
第１のクランプ回路１０２によりクランプをかけられた映像信号１０３は２つの経路に分けて出力される。一方は第２のクランプ回路１０４に入力されて、他方はスイッチ回路１０６に入力される。第２のクランプ回路１０４においては、後段のクランプタイミング発生器１１２により作られた同期信号期間の内側においてクランプをかけるためのタイミングパルスであるクランプパルス１１３を用いて、映像信号１０３内の同期信号期間の内側でクランプをかける。
【００２０】
なお、第２のクランプ回路１０４から出力される映像信号１０５は、同期信号の先端部分を一定のＤＣ電圧に引き込むようにクランプされるため、映像信号１０３に重畳されている垂直レートでのサグのうねりを吸収することができる。
【００２１】
スイッチ回路１０６においては、第１のクランプ回路１０２の出力する映像信号１０３と第２のクランプ回路１０４の出力する映像信号１０５がそれぞれ入力されて、一方を選択した後に後段の同期分離回路１０７へ入力する。
【００２２】
同期分離回路１０７においては、入力される映像信号からコンパレータ等を用いて同期タイミング１０８を取り出して出力する。この同期タイミング１０８はフォーマット検出回路１０９に入力されて、垂直タイミング情報１１０と入力映像信号のフォーマット情報１１１を検出する。また、同期タイミング１０８はクランプタイミング発生器１１２にも入力される。クランプタイミング発生器１１２においては、同期タイミング１０８のエッジを用いてクランプパルス１１３を生成する。
【００２３】
クランプパルス１１３のパルス期間は、フォーマット情報１１１を用いて可変する。また、同期タイミング１０８はＡＦＣ回路１１４の入力基準信号として用いて、内部の発振器の分周信号と位相を比較する。ＡＦＣ回路１１４は再生同期信号１１５とロック情報１１６を出力する。
【００２４】
図１に示す同期分離装置について以下に詳しく説明する。図１に示した第１のクランプ回路１０２の出力波形を図２（ａ），（ｂ）に示す。図２（ａ）には、第１のクランプ回路１０２から出力する同期信号のボトムの軌跡を示している。垂直レートで連続する２つの映像信号を示しており、垂直同期タイミング（１Ｖ）部分でＤＣレベルが上側に盛り上がる。図２（ａ）に示すＡ点の同期信号のボトムはＤＣレベルとして低く、Ｂ点の同期信号のボトムはＤＣレベルとして高くなる。そのため、Ａ点，Ｂ点のＤＣレベルの電圧が異なる同期信号を同期分離回路のコンパレータにより同期分離しようとすると図２（ｂ）に示すように、Ａ点の同期信号に対しては同期信号の上側を、Ｂ点の同期信号に対しては同期信号の下側をそれぞれコンパレータのＤＣ電圧によりスライスすることになる。
【００２５】
スライスして出力した同期出力信号としては、入力信号内の同期信号において立下り開始点からの時間がそれぞれ、Ｘ１時間とＹ１時間というように大きなバラツキ幅を持つ。これはすなわちジッターであり、テレビ画面において再生する映像のジッターとなる。
【００２６】
そこで、第２のクランプ回路１０４を使って、同期出力信号のジッターが少なくなる方法を用いる。第２のクランプ回路１０４では、映像信号内の同期信号のボトムを一定電圧に引き込むクランプをかける。第２のクランプ回路１０４の出力波形を図３（ａ），（ｂ）に示す。図３（ａ）に垂直レートで連続する２つの映像信号を示しているが、同期信号のボトムが一定電圧に引き込まれているため、垂直レートでのサグのうねりがほとんど吸収されている。そのため、図３（ｂ）に示すように第２のクランプ回路１０４の出力を同期分離することによるＡ点とＢ点にて同期出力信号のＸ２時間とＹ２時間は、入力信号内の同期信号の立下り開始点からほぼ同じ時間となり、小さなバラツキ幅となる。このような同期信号を用いて映像を映せば、テレビ画面において再生する映像のジッターは小さくなる。
【００２７】
次に、第２のクランプ回路１０４を動作させるクランプパルス１１３を、同期分離回路１０７により抽出した同期タイミング１０８のエッジから作ることについて、図４を用いて説明する。図４に示すように、同期分離回路１０７のコンパレータにおいて、映像信号内の同期信号に対して同期分離のスライスＤＣ電圧によって同期タイミング１０８を抽出する。そこで、クランプタイミング発生器１１２においては、同期タイミング１０８の前側エッジを用いて、クランプパルス１１３を作る。
【００２８】
具体的には、同期タイミング１０８の前側エッジをトリガタイミングとして、外部クロック等を用いてカウントアップしてクランプパルス１１３の立ち上がりエッジのタイミングを作る。そしてさらにカウントアップして、クランプパルス１１３の立下りエッジのタイミングを作る。クランプパルス１１３の幅は、フォーマット検出回路１０９より得たフォーマット情報１１１を用いて適切な幅に調節する。このようにして、クランプパルス１１３を作るため、クランプパルス１１３が同期信号の外側にずれ込み、映像信号期間のペデスタルパルスをクランプ電圧に引き込むことを防止できる。
【００２９】
次に、クランプパルス１１３の幅決定にフォーマット情報１１１を用いる理由を説明する。例えば４８０ｉの映像信号であれば、同期信号期間は４．７μsecあるのに対して、７２０ｐ／６０（ＮＴＳＣ系、走査線数７２０本のプログレッシブ信号）では、同期信号期間が５４０ｎsecと狭くなる。そのため、クランプパルス１１３の幅は最初から固定の値にするよりも、フォーマット情報１１１を用いて効率よく可変する方が、クランプの引込みも安定的に行え時間も早くすることができる。
【００３０】
また、クランプパルス１１３は同期タイミング１０８から作るため、入力映像信号内に同期信号がないタイミングでは、クランプパルス１１３が発生しないため、第２のクランプ回路１０４が、同期信号のない期間で動作することを防止できる。
【００３１】
さらに、第２のクランプ回路１０４が動作するクランプパルス１１３の期間において、フォーマット情報１１１を用いてクランプの動作ゲインをコントロールすれば、フォーマットごとに異なる水平同期の周期を考慮したクランプをかけることができる。例えば、（表１）に４８０ｐと１０８０ｉ／６０の水平周波数、１水平期間の長さ、同期信号の長さを示す。（表１）によると、４８０ｐが１水平期間（Ｈ）における同期信号期間の割合が、７．３％なのに対して、１０８０ｉ／６０では、同割合が２．０％となる。つまり、第２のクランプ回路１０４の動作期間中は１０８０ｉ／６０の信号入力時は、４８０ｐの信号入力時に比べて約３．６倍のクランプゲインにすると同様のクランプ特性を実現することができる。
【００３２】
【表１】
2006211013.tif 000003
また、第２のクランプ回路１０４を動作させるクランプゲインの切替えについては入力信号が切り替わらずに一定の場合には１垂直帰線期間内においても行う。入力映像信号１０１は、同期信号波形の形式の違により、垂直同期信号期間では、サグが大きくなる傾向にある。図５に代表的な４８０ｉ信号の垂直同期期間を示す。垂直同期信号内の切り込みパルスの部分は、受信機において垂直同期タイミングの検出が積分回路を使って容易に行えるようにするために「ロー」の期間が長く設定されている。
【００３３】
このため、垂直同期期間では、他の水平同期期間に比べて信号の平均ＤＣ電圧がずれやすい。このような信号特性から垂直レートでサグによるうねりを持った信号が第１のクランプ回路１０２に入力されてもサグを抑制することができない。そこで、第２のクランプ回路１０４を用いて、後段のフォーマット検出回路１０９で検出される垂直タイミング情報１１０を用いて、垂直タイミング期間では第２のクランプ回路１０４によりゲインを上げることによって、他の水平同期期間の同期信号より大きくＤＣ電圧がずれている垂直同期期間においても、同期信号のボトムをクランプ電圧に引き込むことができる。
【００３４】
また、同期分離装置におけるスイッチ回路１０６の出力選択に当たっては、フォーマット検出回路１０９の垂直タイミング情報１１０を用いる。垂直タイミング情報１１０が確定していないときは、第１のクランプ回路１０２から出力の映像信号１０３をスイッチ回路１０６で選択して出力して、垂直タイミング情報１１０が確定した後に、十分に第２のクランプ回路１０４によりクランプ電圧に引き込まれた出力の映像信号１０５に切り替えることにより、クランプパルス１１３が不安定な段階で第２のクランプ回路１０４の出力が同期分離回路１０７に入力されることを防止する。
【００３５】
ここで、図６を用いて同期分離装置への信号入力がない無入力時から信号入力が開始されてクランプが切り替わる様子を説明する。図６において、無入力時の第１Ｖ目は第１のクランプ回路１０２の出力が同期分離回路１０７に入力されて、第２Ｖ目において１Ｖ期間にわたって確認したフォーマットが第３Ｖ目の頭で確定すると第２のクランプ回路１０４も動作する。しかし、第３Ｖ目はフォーマットが確定した初期段階であり、クランプ電圧に映像信号１０５が十分に引き込まれていない可能性があるので、スイッチ回路１０６は、第１のクランプ回路１０２の出力を選択する。そして、第２のクランプ回路１０４の出力が十分にクランプ電圧に引き込まれた第４Ｖ目の頭からスイッチ回路１０６の出力は、第２のクランプ回路１０４の出力を選択する。
【００３６】
このように入力映像信号１０１のフォーマットが確定してからスイッチ回路１０６の出力を、第１のクランプ回路１０２の出力から第２のクランプ回路１０４の出力に切替えることにより、安定したスイッチ切替えが実現できる。また、図６にも示しているが、切替えタイミングをフィールドタイミングもしくはフレームタイミングの垂直同期タイミングで行うことにより、スイッチ切替え時のノイズが最終出力のテレビ画面上に現れることを防止できる。
【００３７】
また、フォーマット検出回路１０９は、１垂直帰線期間内に水平同期タイミングがいくつあるかをカウントすることにより構成することができる。また、ＮＴＳＣ系のＨＤ系信号の１０８０ｉ／６０とＰＡＬ系のＨＤ系信号の１０８０ｉ／５０は、１垂直帰線期間内の水平同期タイミングの数が同じであるため、水平同期タイミングの周期をクロック等でカウントすることによりＰＡＬ系とＮＴＳＣ系の違を確認し、前述した１垂直帰線期間内の水平同期タイミングの数の情報と合わせて判断することによりフォーマットが確定できる。
【００３８】
同期分離回路１０７においては、入力信号として垂直レートでサグのある第１のクランプ回路１０２の出力を用いるか、もしくは第２のクランプ回路１０４の出力を用いるかによって、出力される同期タイミング１０８の数を１垂直帰線期間で見た場合に、若干第１のクランプ回路１０２の出力を同期分離した方がサグの影響を受けて少なくなる可能性がある。
【００３９】
しかし、各信号のフォーマット間では１垂直帰線期間を構成するトータルの水平同期信号の数には、数十水平期間（Ｈ）程度の数の開きがあるため、その数の誤差はフォーマット判定を行うに当たっては問題にならない。よって、第１のクランプ回路１０２の出力だけでもフォーマット検出を行うに当たっては問題なく、第１のクランプ回路１０２の出力を同期分離してカウントしたフォーマット情報１１１を用いてスイッチ回路１０６の切替えタイミングとしても問題にはならない。
【００４０】
また、スイッチ回路１０６の出力を第２のクランプ回路１０４の出力から第１のクランプ回路１０２の出力に切替えるタイミングとしては、後段のＡＦＣ回路１１４のロック情報１１６として、ＡＦＣ回路１１４の周波がロックからアンロックに変化したタイミングを用いる。図７に信号入力時から無入力の状態に切り替わった場合の同期分離回路１０７に入力される信号を示す。図７において、ＡＦＣ回路１１４がロックしている第１Ｖ目では、第２のクランプ回路１０４の出力をスイッチ回路１０６で選択し同期分離を行う。しかし、ＡＦＣ回路１１４のロック情報１１６がロックからアンロックに変わったタイミングでスイッチ回路１０６の出力を第２のクランプ回路１０４の出力から第１のクランプ回路１０２の出力に切替える。
【００４１】
これにより、もし入力信号のフォーマットがどこかのタイミングで変化したときは、即座に第２のクランプ回路１０４の出力から第１のクランプ回路１０２の出力に切替えることにより、フォーマット情報１１１によって制御されるクランプパルス１１３の動作期間が、同期信号期間から映像信号期間に割り込みペデスタルパルスをクランプ電圧に引き込む誤動作が発生することを防止できる。
【００４２】
なお、本実施の形態の説明において用いた映像信号は、同期信号タイミングを含む信号であり、例えばコンポジットビデオ信号、コンポーネント信号である輝度信号（ＳＹ）、同期信号が重畳されたgreen（Ｇ）信号を意味する。
【産業上の利用可能性】
【００４３】
本発明に係る同期分離装置は、フォーマットの異なる映像信号が入力されても映像信号から同期分離される同期出力信号のジッターを減少して、またフォーマット情報に基づいたクランプパルスの幅を制御した効率的なクランプ動作ができ、テレビ等の映像信号の受信機能を有する表示装置において、映像を映すために必要な同期信号を映像信号からの分離に有用である。
【図面の簡単な説明】
【００４４】
【図１】本発明の実施の形態における同期分離装置の概略構成を示す図
【図２】本実施の形態における（ａ）は第１のクランプ回路出力の同期信号のボトムの軌跡、（ｂ）は同期出力信号を示す図
【図３】本実施の形態における（ａ）は第２のクランプ回路出力の同期信号のボトムの軌跡、（ｂ）は同期出力信号を示す図
【図４】本実施の形態における映像信号，同期タイミング，クランプパルスの関係を示す図
【図５】代表的な４８０ｉ信号の垂直同期期間を示す図
【図６】本実施の形態における同期分離装置の無入力時から信号入力開始状態のクランプ切り替わり示す図
【図７】本実施の形態における同期分離装置の信号入力時から無入力状態のクランプ切り替わりを示す図
【図８】従来の同期分離装置の概略構成を示す図
【符号の説明】
【００４５】
１  複合映像信号
２  第１クランプ回路
３  第２クランプ回路
４  コンパレータ
５  同期信号
６  スライス回路
７，１１３  クランプパルス
１０１  入力映像信号
１０２  第１のクランプ回路
１０３，１０５  映像信号
１０４  第２のクランプ回路
１０６  スイッチ回路
１０７  同期分離回路
１０８  同期タイミング
１０９  フォーマット検出回路
１１０  垂直タイミング情報
１１１  フォーマット情報
１１２  クランプタイミング発生器
１１４  ＡＦＣ回路
１１５  再生同期信号
１１６  ロック情報
【図１】
2006211013.tif 000004
【図２】
2006211013.tif 000005
【図３】
2006211013.tif 000006
【図４】
2006211013.tif 000007
【図５】
2006211013.tif 000008
【図６】
2006211013.tif 000009
【図７】
2006211013.tif 000010
【図８】
2006211013.tif 000011